(57)【要約】【課題】テンプレートデータと撮影画像とを合成したテンプレート合成画像を作成する際に、適合するテンプレートデータと撮影画像の選択をユーザが短時間かつ簡単に行えるようにした画像編集方法及びその装置を提供する。【解決手段】  合成する撮影画像とテンプレートデータを選択する画像選択画面には、画面下部に撮影画像の一覧が表示され、画面上部にテンプレートデータの一覧が表示され、ユーザは、それらの中から撮影画像とテンプレートデータを１つずつ選択して合成する画像を決定する。その際、ユーザが撮影画像を選択すると、その撮影位置に関連したテンプレートデータのみが選択に表示され、ユーザがテンプレートデータを選択すると、そのテンプレートデータの使用が適正な撮影位置で撮影された撮影画像のみが選択可能に表示される。【選択図】  図２
2009246822.tif 000002
【特許請求の範囲】
【請求項１】
プログラムされたコンピュータにより実施され、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択工程を含む画像編集方法において、
前記テンプレートデータの各々に対して、各テンプレートデータの使用が適正な地理上の位置範囲に関する情報を付加しておき、
前記画像選択工程における画像選択画面において、いずれか１つの撮影画像がユーザによって選択された場合に、該選択された撮影画像に付加された情報が示す撮影位置を含む位置範囲の情報が付加されたテンプレートデータを抽出し、該抽出したテンプレートデータのみを選択可能にし、又は、該抽出したテンプレートデータの表示の優先順位を上げることを特徴とする画像編集方法。
【請求項２】
プログラムされたコンピュータにより実施され、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択工程を含む画像編集方法において、
前記テンプレートデータの各々に対して、各テンプレートデータの使用が適正な地理上の位置範囲に関する情報を付加しておき、
前記画像選択工程における画像選択画面において、いずれか１つのテンプレートデータがユーザによって選択された場合に、該選択されたテンプレートデータに付加された情報が示す位置範囲に含まれる撮影位置の情報が付加された撮影画像を抽出し、該抽出した撮影画像のみを選択可能にし、又は、該抽出した撮影画像の表示の優先順位を上げることを特徴とする画像編集方法。
【請求項３】
前記テンプレートデータに付加される位置範囲の情報は、円形状の位置範囲における中心位置と半径の長さを示す情報であることを特徴とする請求項１、又は、２の画像編集方法。
【請求項４】
前記テンプレートデータに付加される位置範囲の情報は、地域を特定する情報であることを特徴とする請求項１、又は、２の画像編集方法。
【請求項５】
前記画像選択工程において初期の画像選択画面を表示する際に、特定の位置に適合する撮影画像又はテンプレートデータのみを選択可能し、又は、表示の優先順位を上げることを特徴とする請求項１、２、３、又は、４の画像編集方法。
【請求項６】
前記画像選択工程における画像選択画面において、いずれか１つのテンプレートデータがユーザによって選択された場合に、該選択されたテンプレートデータに対して抽出された撮影画像を一括して選択することを特徴とする請求項２の画像編集方法。
【請求項７】
撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択手段を備えた画像編集装置において、
前記テンプレートデータの各々に対して、各テンプレートデータの使用が適正な地理上の位置範囲に関する情報が付加されているものとし、
前記画像選択手段における画像選択画面において、いずれか１つの撮影画像がユーザによって選択された場合に、該選択された撮影画像に付加された情報が示す撮影位置を含む位置範囲の情報が付加されたテンプレートデータを抽出し、該抽出したテンプレートデータのみを選択可能にし、又は、該抽出したテンプレートデータの表示の優先順位を上げることを特徴とする画像編集装置。
【請求項８】
撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択手段を備えた画像編集装置において、
前記テンプレートデータの各々に対して、各テンプレートデータの使用が適正な地理上の位置範囲に関する情報が付加されているものとし、
前記画像選択手段における画像選択画面において、いずれか１つのテンプレートデータがユーザによって選択された場合に、該選択されたテンプレートデータに付加された情報が示す位置範囲に含まれる撮影位置の情報が付加された撮影画像を抽出し、該抽出した撮影画像のみを選択可能にし、又は、該抽出した撮影画像の表示の優先順位を上げることを特徴とする画像編集装置。
【請求項９】
前記テンプレートデータに付加される位置範囲の情報は、円形状の位置範囲における中心位置と半径の長さを示す情報であることを特徴とする請求項７、又は、８の画像編集装置。
【請求項１０】
前記テンプレートデータに付加される位置範囲の情報は、地域を特定する情報であることを特徴とする請求項７、又は、８の画像編集装置。
【請求項１１】
前記画像選択手段において初期の画像選択画面を表示する際に、特定の位置に適合する撮影画像又はテンプレートデータのみを選択可能し、又は、表示の優先順位を上げることを特徴とする請求項７、８、９、又は、１０の画像編集装置。
【請求項１２】
前記画像選択手段における画像選択画面において、いずれか１つのテンプレートデータがユーザによって選択された場合に、該選択されたテンプレートデータに対して抽出された撮影画像を一括して選択することを特徴とする請求項８の画像編集装置。
【発明の詳細な説明】
【技術分野】
【０００１】
本発明は画像編集方法及びその装置に係り、特にデジタルカメラで撮影した撮影画像に付加されるＧＰＳ情報を利用して撮影画像とテンプレートデータ（テンプレート画像）とを合成したテンプレート合成画像作成のための編集を行う画像編集方法及びその装置に関する。
【背景技術】
【０００２】
現在、デジタルカメラ等で撮影したデジタル画像を、ＤＰＥ店やラボ店の店舗内や店頭、各種商業施設内等に配備された店頭機や自宅のパソコン等を使用してプリント注文を行えるようしたプリントサービスが利用されている。
【０００３】
また、プリントサービスとしてデジタルカメラ等で撮影した撮影画像をそのままプリントする通常のプリントサービスの他に、撮影画像に所望のテンプレートデータを合成したテンプレート合成画像を作成し、そのテンプレート合成画像をプリントするフレームプリントと呼ばれるプリントサービスも提供されている。
【０００４】
ところで、特許文献１には、デジタルカメラで撮影された撮影画像に埋め込まれたＧＰＳ情報や撮影日時の情報に基づいて、撮影画像をグルーピングする方法が提案されている。
【０００５】
特許文献２には、テンプレートデータに合成する撮影画像を、大量の撮影画像からユーザが選択することの負担を軽減するために、テンプレートデータに予め割り当てられる属性情報に合致する撮影画像を自動で選出し、ユーザが選択する撮影画像の選択肢を低減することが提案されている。
【０００６】
特許文献３には、ＧＰＳ情報及び範囲情報からその範囲内の携帯電話のみに情報を提供するシステムが提案されている。
【特許文献１】特開２００１−２２８５２８号公報
【特許文献２】特開２００６−２７７０６５号公報
【特許文献３】特開２００５−２１７６８９号公報
【発明の開示】
【発明が解決しようとする課題】
【０００７】
ところで、ＧＰＳ(Global Positioning System)機能搭載のデジタルカメラ等で撮影された撮影画像には撮影位置を示すＧＰＳ情報が付加される。一方、位置（例えば、特定の都道府県、市町村、施設等）に関連するテンプレートデータを撮影画像に合成してテンブレート合成画像を作成する場合には、撮影画像の撮影位置との関連で、相互に適合するテンプレートデータと撮影画像がある程度限定できる。
【０００８】
しかしながら、従来では、テンプレートデータの位置に関する情報と撮影画像の撮影位置に関する情報を考慮して、ユーザが選択できるテンプレートデータ又は撮影画像を限定するようなことは提案されておらず、大量のテンプレートデータと撮影画像の中から合成する画像ユーザが選択しなければならないという場合があった。特許文献２で提案されている方法を用いても選択されたテンプレートデータに対して全く位置が考慮されていない不適合の撮影画像が適合する撮影画像として選出される場合がある。
【０００９】
本発明は、このような事情に鑑みてなされたもので、テンプレートデータと撮影画像とを合成したテンプレート合成画像を作成する際に、適合するテンプレートデータと撮影画像の選択をユーザが短時間かつ簡単に行えるようにした画像編集方法及びその装置を提供することを目的とする。
【課題を解決するための手段】
【００１０】
前記目的を達成するために、請求項１に係る画像編集方法は、プログラムされたコンピュータにより実施され、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択工程を含む画像編集方法において、前記テンプレートデータの各々に対して、各テンプレートデータの使用が適正な地理上の位置範囲に関する情報を付加しておき、前記画像選択工程における画像選択画面において、いずれか１つの撮影画像がユーザによって選択された場合に、該選択された撮影画像に付加された情報が示す撮影位置を含む位置範囲の情報が付加されたテンプレートデータを抽出し、該抽出したテンプレートデータのみを選択可能にし、又は、該抽出したテンプレートデータの表示の優先順位を上げることを特徴とする画像編集方法。を特徴としている。
【００１１】
本発明によれば、ユーザが撮影画像を選択した場合に、その撮影位置に対応したテンプレートデータをユーザが容易に選択できるようなる。
【００１２】
請求項２に係る画像編集方法は、プログラムされたコンピュータにより実施され、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択工程を含む画像編集方法において、前記テンプレートデータの各々に対して、各テンプレートデータの使用が適正な地理上の位置範囲に関する情報を付加しておき、前記画像選択工程における画像選択画面において、いずれか１つのテンプレートデータがユーザによって選択された場合に、該選択されたテンプレートデータに付加された情報が示す位置範囲に含まれる撮影位置の情報が付加された撮影画像を抽出し、該抽出した撮影画像のみを選択可能にし、又は、該抽出した撮影画像の表示の優先順位を上げることを特徴としている。
【００１３】
本発明によれば、ユーザがテンプレートデータを選択した場合に、そのテンプレートデータに関係する地理上の位置範囲で撮影された撮影画像をユーザが容易に選択できるようになる。
【００１４】
請求項３に係る画像編集方法は、請求項１、又は、２に記載の発明において、前記テンプレートデータに付加される位置範囲の情報は、円形状の位置範囲における中心位置と半径の長さを示す情報であることを特徴としている。
【００１５】
本発明は、テンプレートデータに付加される位置範囲の情報の一形態を示す。
【００１６】
請求項４に係る画像編集方法は、請求項１、又は、２に記載の発明において、前記テンプレートデータに付加される位置範囲の情報は、地域を特定する情報であることを特徴としている。
【００１７】
本発明は、テンプレートデータに付加される位置範囲の情報の一形態を示し、例えば、都道府県のような地域を特定する情報であってもよい。
【００１８】
請求項５に係る画像編集方法は、請求項１、２、３、又は、４に記載の発明において、前記画像選択工程において初期の画像選択画面を表示する際に、特定の位置に適合する撮影画像又はテンプレートデータのみを選択可能し、又は、表示の優先順位を上げることを特徴としている。
【００１９】
本発明は、初期の画像選択画面において、ユーザや装置の指定した位置に適合する撮影画像又はテンプレートデータのみに絞り込むことによって、ユーザの選択作業の負担を軽減したものである。
【００２０】
請求項６に係る画像編集方法は、請求項２に記載の発明において、前記画像選択工程における画像選択画面において、いずれか１つのテンプレートデータがユーザによって選択された場合に、該選択されたテンプレートデータに対して抽出された撮影画像を一括して選択することを特徴としている。
【００２１】
本発明は、撮影画像の一括登録を可能にしたものである。
【００２２】
請求項７に係る画像編集装置は、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択手段を備えた画像編集装置において、前記テンプレートデータの各々に対して、各テンプレートデータの使用が適正な地理上の位置範囲に関する情報が付加されているものとし、前記画像選択手段における画像選択画面において、いずれか１つの撮影画像がユーザによって選択された場合に、該選択された撮影画像に付加された情報が示す撮影位置を含む位置範囲の情報が付加されたテンプレートデータを抽出し、該抽出したテンプレートデータのみを選択可能にし、又は、該抽出したテンプレートデータの表示の優先順位を上げることを特徴としている。
【００２３】
請求項８に係る画像編集装置は、撮影画像と予め用意されたテンプレートデータとを合成したテンプレート合成画像を作成するために、モニタの画面上において、撮影位置を示す情報が付加された複数の撮影画像と、複数のテンプレートデータの中から、各々１つずつ合成する撮影画像とテンプレートデータとをユーザが選択するための画像選択画面を表示する画像選択手段を備えた画像編集装置において、前記テンプレートデータの各々に対して、各テンプレートデータの使用が適正な地理上の位置範囲に関する情報が付加されているものとし、前記画像選択手段における画像選択画面において、いずれか１つのテンプレートデータがユーザによって選択された場合に、該選択されたテンプレートデータに付加された情報が示す位置範囲に含まれる撮影位置の情報が付加された撮影画像を抽出し、該抽出した撮影画像のみを選択可能にし、又は、該抽出した撮影画像の表示の優先順位を上げることを特徴としている。
【００２４】
請求項９に係る画像編集装置は、請求項７、又は、８に記載の発明において、前記テンプレートデータに付加される位置範囲の情報は、円形状の位置範囲における中心位置と半径の長さを示す情報であることを特徴としている。
【００２５】
請求項１０に係る画像編集装置は、請求項７、又は、８に記載の発明において、前記テンプレートデータに付加される位置範囲の情報は、地域を特定する情報であることを特徴としている。
【００２６】
請求項１１に係る画像編集装置は、請求項７、８、９、又は、１０に記載の発明において、前記画像選択手段において初期の画像選択画面を表示する際に、特定の位置に適合する撮影画像又はテンプレートデータのみを選択可能し、又は、表示の優先順位を上げることを特徴としている。
【００２７】
請求項１２に係る画像編集装置は、請求項８に記載の発明において、前記画像選択手段における画像選択画面において、いずれか１つのテンプレートデータがユーザによって選択された場合に、該選択されたテンプレートデータに対して抽出された撮影画像を一括して選択することを特徴としている。
【００２８】
請求項７〜１２に係る画像編集装置は、請求項１〜６に係る画像編集方法に対応した装置の発明であり、請求項１〜６に係る像編集方法と同様の作用、効果を奏する。
【発明の効果】
【００２９】
本発明によれば、テンプレートデータと撮影画像とを合成したテンプレート合成画像を作成する際に、適合するテンプレートデータと撮影画像の選択をユーザが短時間かつ簡単に行えるようになる。
【発明を実施するための最良の形態】
【００３０】
以下、添付図面に従って本発明に係る画像編集方法及びその装置を実施するための最良の形態について詳説する。
【００３１】
本発明に係る画像編集方法は、例えば、顧客（ユーザ）がプリント注文を行うために店頭等に配置される店頭機や、ユーザが所有するパソコン等において、プログラムの実行によって実現される方法であり、本発明が適用される画像編集装置（例えば店頭機）は、図１に示すように、装置全体を統括制御するためのＣＰＵ１０と、ＣＰＵ１０が実行するプログラムを格納するＲＯＭおよび作業領域となるＲＡＭからなるシステムメモリ１２と、キーボードやマウスなどの入力装置１４と、入力装置１４に接続した入力インターフェース１６と、各種情報を表示するモニタ１８と、モニタ１８の表示を制御する表示制御部２０と、メモリカード等の各種記録媒体を装填するスロット（複数のスロット）２２と、スロット２２に接続したインターフェース２４と、各種データが記録保存されるハードディスク等の保存部２６と、プリンタ２８を接続するためのコネクタ３０と、コネクタ３０に接続した出力インターフェース３２等を備えている。
【００３２】
このような画像編集装置が、例えば、プリント注文を行うための店頭機として設置されている場合に、ユーザ（プリント注文者）は、デジタルカメラや携帯電話などで撮影したデジタル画像（撮影画像）を記録保存しているメディアをスロットに２２に装填し、そのメディア内の含まれる撮像画像のデータが読み込まれ、保存部２６に一時的記憶される。
【００３３】
続いて、ユーザはモニタ１８の画面に表示されるプリント注文の案内画面に従って、注文するプリントサービスの種類を選択する。
【００３４】
ここで、撮影画像をそのままプリントする通常のプリントサービスではなく、フレームプリントを選択した場合には、撮影画像とテンプレートデータ（テンプレート画像）とを合成したテンプレート合成画像のプリントを注文することができる。ユーザがそのフレームプリントのサービスを選択した場合に、モニタ１８の画面にはフレームプリントするための撮影画像とテンプレートデータを選択するための画像選択画面が表示される。
【００３５】
図２は、その画像選択画面の構成を示した図である。同図に示すように、画面下側には、撮影画像エリア５０が設けられ、その撮影画像エリア５０に上記メディアから読み込んだ撮影画像（サムネイル画像）が横方向に並べて表示される。撮影画像エリア５０の領域だけでは全ての撮影画像を同時に表示できない場合には、水平スクロールバー５２を左右方向に移動させることによって横方向に並べられた全ての撮影画像が順に表示されるようになっている。
【００３６】
尚、店頭等に配置される店頭機において本発明に係る画像編集装置を実施する場合には、ユーザが持参したメディアに保存されている撮影画像のみが撮影画像エリア５０に表示される。但し、各ユーザが所有するパソコン等において本発明に係る画像編集装置を実施する場合には、そのユーザがハードディスク等の任意の記録媒体に保存しておいた任意の撮影画像を撮影画像エリア５０に表示させることができる。例えば、フォルダを指定してそのフォルダに含まれる撮影画像を撮影画像エリア５０に表示させることができる。
【００３７】
一方、画像選択画面の画面上側には、テンプレートエリア５４が設けられ、そのテンプレートエリア５４には、ハードディスク等の保存部２６に予め記録されているテンプレートデータが横方向に並べて表示される。撮影画像エリア５０と同様に、テンプレートエリア５４の領域だけでは全てのテンプレートデータを同時に表示できない場合には、水平スクルロールバー５６を左右方向に移動させることによって横方向に並べられた全てのテンプレートデータが順に表示されるようになっている。
【００３８】
画像選択画面の画面中央左側には、プレビューエリア５８が設けられ、そのプレビューエリア５８には、ユーザが選択した撮影画像と、テンプレートデータを合成したテンプレート合成画像が表示される。画面中央右側には、情報エリア６０が設けられ、テンプレート名、撮影画像に対するコメント、撮影画像が撮影されたときの位置（ＧＰＳ情報）等などが表示される。
【００３９】
このような画像選択画面において、ユーザは、撮影画像エリア５０に表示された所望の撮影画像をマウスでダブルクリックすることにより、又は、プレビューエリア５８にドラッグ＆ドロップすることにより、その撮影画像をテンブレート合成画像作成用の撮影画像として選択する。
【００４０】
同様にテンプレートエリア５４に表示された所望のテンプレートデータをマウスでダブルクリックすることにより、又は、プレビューエリア５８にドラッグ＆ドロップすることにより、そのテンプレートデータをテンプレート合成画像作成用のテンプレートデータとして選択することができる。
【００４１】
撮影画像とテンプレートデータの選択はいずれを先に行ってもよく、また、確定を指示するまでは、上記操作を行うことによって選択する撮影画像とテンプレートデータの何度でも変更することができる。
【００４２】
そして、ユーザが希望するテンプレート合成画像が得られた場合には、所定の確定操作を行うことによって、テンプレート合成画像のデータ（画像ファイル）が作成され、プリンタ２８等に出力されてプリントされる。
【００４３】
ところで、本実施の形態の画像編集装置（店頭機）では、上記のよう撮影画像とテンプレートデータのうちいずれか一方をユーザが選択した際に、他方の画像が、その選択した画像に適合するものに絞り込みされるようになっている。以下、この絞り込みの処理について説明する。
【００４４】
撮影画像のデータは、例えばExif（Exchangeable image file format）の規格に従って作成された画像ファイルに収められており、その画像ファイルには、撮影位置（緯度及び経度）を示す位置情報（ＧＰＳ位置情報）が例えばＧＰＳ機能付きデジタルカメラによって撮影時に付加されているものとする。また、その撮影位置に対する誤差範囲を表す値として、その撮影位置を中心とする半径の長さＤ（距離情報Ｄ）も付加されているものとする。撮影位置に対する誤差範囲を表す半径の長さＤ、即ち、距離情報Ｄの値は、デジタルカメラ等においてユーザがその撮影画像を撮影したときの撮影位置の誤差として入力するようにしてもよいし、妥当な値をデジタルカメラ等で自動で決定してもよい。
【００４５】
また、例えば、画像編集装置において、撮影画像に付加されている位置情報（ＧＰＳ位置情報）から住所情報を割り出し、その住所を絞りながら距離情報Ｄを算出することも可能である。例えば、ある撮影画像に付加されている位置情報から「東京都品川区南品川○丁目・・・」とうような住所情報が割り出されたとする。これに対して、距離情報Ｄを、例えば、下記のＤ１〜Ｄ３のいずれかに設定することができる。
Ｄ１：「東京都品川区南品川○丁目」の領域を包含する円の半径
Ｄ２：「東京都品川区南品川」の領域を包含する円の半径
Ｄ３：「東京都品川区」の領域を包含する円の半径
Ｄ１〜Ｄ３のような値のうち、いずれの値を距離情報Ｄの値とするかは、予め決めておいた区画レベルのものとしてもよいし、ユーザが決めてもよい。
【００４６】
尚、この距離情報Ｄの値は、必ずしも撮影画像に付加しておく必要はなく、また、必ずしも必要な情報ではない。
【００４７】
一方、テンプレートデータのデータも、撮影画像と同等の形式の画像ファイルに収められており、その画像ファイルには、撮影画像の撮影位置を示す位置情報（ＧＰＳ位置情報）に相当する位置情報（ＧＰＳ位置情報）と、撮影画像の距離情報Ｄに相当する距離情報Ｄが付加される。即ち、テンプレートデータは、例えば、特定の都道府県、市町村、施設等の位置（場所）に関連するものとなっており、そのテンプレートデータを使用する場合に適切な位置範囲として円形状の範囲を仮定する。そして、その中心位置が位置情報としてテンプレートデータに付加されると共に、その半径の長さＤを距離情報Ｄとしてテンプレートデータに付加される。これらの情報はテンプレートデータを作成した際に、作成者が値を決めてテンプレートデータに付加しておく。
【００４８】
そして、まず、上記画像選択画面においてユーザによってテンプレートデータが選択された場合について説明する。この場合、画像編集装置（店頭機）のＣＰＵ１０は、図３に示すように、その選択されたテンプレートデータＴ１に付加されている位置情報（ＧＰＳ位置情報）及び距離情報Ｄを取得し、その位置情報が示す位置を中心位置とし、距離情報Ｄを半径の長さＤとした円形状の位置範囲Ｗを想定する。そして、各々の撮影画像Ｓ１、Ｓ２、Ｓ３、…について、ＧＰＳ位置情報が示す撮影位置がテンプレートデータＴ１の位置範囲Ｗに含まれるか否かを判断する。これによって、撮影位置がテンプレートデータＴ１の位置範囲Ｗに含まれる撮影画像のみを、テンプレートデータＴ１に適合する撮影画像として抽出し、抽出した撮影画像のみをユーザが選択可能となるように図２の画像選択画面における撮影画像エリア５０に表示させる。図３の例では、撮影画像Ｓ１、Ｓ２の撮影位置がテンプレートデータＴ１の位置範囲Ｗに含まれ、撮影画像Ｓ３の撮影位置が位置範囲Ｗに含まれないため、図２の画像選択画面において、撮影画像Ｓ１、Ｓ２が撮影画像エリア５０に表示され、撮影画像Ｓ３が撮影画像エリア５０に表示されなくなる。
【００４９】
尚、ユーザによって選択されたテンプレートデータＴ１に距離情報Ｄが付加されていない場合には、他の方法でそれに適合する撮影画像を抽出することができる。図４に示すように、全ての撮影画像Ｓ１、Ｓ２、Ｓ３、…について、ＧＰＳ位置情報と距離情報Ｄを取得し、ＧＰＳ位置情報が示す撮影位置を中心位置とし、距離情報Ｄを半径の長さＤとした円形状の位置範囲Ｗ１、Ｗ２、Ｗ３、…を想定する。そして、各々の撮影画像Ｓ１、Ｓ２、Ｓ３、…の位置範囲Ｗ１、Ｗ２、Ｗ３、…に対して、ユーザによって選択されたテンプレートデータＴ１のＧＰＳ位置情報が示す位置がそれらの位置範囲Ｗ１、Ｗ２、Ｗ３、…に含まれるか否かを判断する。これによって、位置範囲がテンプレートデータＴ１の位置を含む撮影画像のみを、テンプレートデータＴ１に適合する撮影画像として抽出する（絞り込む）ことができる。図４の例では、撮影画像Ｓ１、Ｓ２の位置範囲Ｗ１、Ｗ２がテンプレートデータＴ１の位置を含み、撮影画像Ｓ３の位置範囲Ｗ３がテンプレートデータＴ１の位置を含まないため、図２の画像選択画面において、撮影画像Ｓ１、Ｓ２が撮影画像エリア５０に表示され、撮影画像Ｓ３が撮影画像エリア５０に表示されなくなる。
【００５０】
次に、図２の画像選択画面においてユーザによって撮影画像が選択された場合について説明する。この場合、画像編集装置（店頭機）のＣＰＵ１０は、図５に示すように、全てのテンプレートデータＴ１、Ｔ２、…について、ＧＰＳ位置情報と距離情報Ｄを取得し、ＧＰＳ位置情報が示す撮影位置を中心位置とし、距離情報Ｄを半径の長さＤとした円形状の位置範囲Ｗ１、Ｗ２、…を想定する。そして、各々のテンプレートデータＴ１、Ｔ２、…の位置範囲Ｗ１、Ｗ２、…に対して、ユーザによって選択された撮影画像Ｓ１のＧＰＳ位置情報が示す撮影位置がそれらの位置範囲Ｗ１、Ｗ２、…に含まれるか否かを判断する。これによって、位置範囲が撮影画像Ｓ１の撮影位置を含むテンプレートデータのみを、撮影画像Ｓ１に適合するテンプレートデータとして抽出し、抽出したテンプレートデータのみをユーザが選択可能となるように図２の画像選択画面におけるテンプレートエリア５４に表示させる、図５の例では、テンプレートデータＴ１の位置範囲Ｗ１が撮影画像Ｓ１の撮影位置を含み、テンプレートデータＴ２の位置範囲Ｗ２が撮影画像Ｓ１の撮影位置を含まないため、図２の画像選択画面において、テンプレートデータＴ１がテンプレートエリア５４に表示され、テンプレートデータＴ２がテンプレートエリア５４に表示されなくなる。
【００５１】
尚、距離情報Ｄが付加されていないテンプレートデータが存在する場合には、そのテンプレートデータについては、ユーザによって選択された撮影画像に適合しないものとしてもよいし、次のような方法で適合するか否かを判断してもよい。図６に示すように、ＣＰＵ１０は、ユーザによって選択された撮影画像Ｓ１のＧＰＳ位置情報と距離情報Ｄを取得し、ＧＰＳ位置情報が示す撮影位置を中心位置とし、距離情報Ｄを半径の長さＤとして円形状の位置範囲Ｗを想定する。そして、距離情報Ｄが付加されていないテンプレートデータＴ１、Ｔ２、…の各々について、そのＧＰＳ位置情報が示す位置が、撮影画像Ｓ１の位置範囲Ｗに含まれるか否かを判断する。これによって、ＧＰＳ位置情報が示す位置が撮影画像Ｓ１の位置範囲Ｗに含まれるテンプレートデータを、撮影画像Ｓ１に適合するものと判断し、そうでないものを適合しないものと判断する。図６の例では、テンプレートデータＴ１の位置が撮影画像Ｓ１の位置範囲Ｗに含まれ、テンプレートデータＴ２の位置が撮影画像Ｓ１の位置範囲Ｗに含まれないため、図２の画像選択画面において、テンプレートデータＴ１が撮影画像Ｓ１に適合するものとしてテンプレートエリア５４に表示され、テンプレートデータＴ２が撮影画像Ｓ１に適合しないものとしてテンプレートエリア５４に表示されなくなる。
【００５２】
また、ユーザによって撮影画像が選択された場合に、図５を用いて説明した方法でテンプレートデータを絞り込むのではなく、図６で用いて説明した方法を採用してもよい。
【００５３】
以上、上記実施の形態において、テンプレートデータに付加する距離情報Ｄをユーザ又は自動で変更可能としてもよい。例えば、図７のようにテンプレートデータＴ１の距離情報Ｄを３つの値Ｄ１、Ｄ２、Ｄ３で変更したとする。例えば、Ｄ１は札幌を位置範囲とする値、Ｄ２は北海道を位置範囲とする値、Ｄ３は北日本を位置範囲とする値とする。このとき、ユーザがテンプレートデータＴ１を選択した場合に、そのテンプレートデータＴ１に適合する画像として、距離情報ＤをＤ１としたときには撮影画像Ａが抽出され、距離情報ＤをＤ２としたときには撮影画像Ａ〜Ｃが抽出され、距離情報ＤをＤ３としたときには撮影画像Ａ〜Ｆが抽出される。このように距離情報Ｄの値を変更することによって、ユーザがテンプレートデータを選択して撮影画像の絞り込みが行われた際に、ユーザが選択できる撮影画像の数を変更することができる。ユーザが撮影画像を選択してテンプレートデータの絞り込みが行われた際に、ユーザが選択できるテンプレートデータの数についても同様に変更される。そこで、例えば、このような絞り込みによって撮影画像又はテンプレートデータの選択数が極端に多い場合や少ない場合に自動的に距離情報Ｄの値を変更し、適切な選択するとなるようにしてもよい。
【００５４】
また、上記実施の形態では、各テンプレートデータの使用が適正となる地理上の位置範囲（各テンプレートデータが適合する撮影画像の撮影位置の範囲）として、円形状の位置範囲を想定し、その円形状の位置範囲を示す情報として中心位置を示す位置情報（ＧＰＳ位置情報）と、半径の長さを示す距離情報Ｄとを各テンプレートデータに付加したが、テンプレートデータに付加する位置範囲の情報はこれに限らない。例えば、都道府県、市町村、施設などの位置範囲（地域）に関する名称やそれらを特定する情報を付加するようにしてもよい。また、テンプレートデータに位置範囲の情報をそのまま付加するのではなく、位置情報（ＧＰＳ位置情報）のみを付加しておき、画像編集装置において、その位置情報が示す位置を含む位置範囲を道府県、市町村、施設などの地図情報に基づいて設定するようにしてもよい。これらのようにテンプレートデータの位置範囲が地図情報に基づいて設定される場合には、例えば、テンプレートデータの位置範囲に撮影画像のＧＰＳ位置情報で示される撮影位置が含まれるか否かの判断を、ハードディスク内に記憶させた地図データベースのデータ、又は、インターネットから取得される地図データベースのデータを利用して行えばよい。
【００５５】
また、上記実施の形態では、画像選択画面において、ユーザがテンプレートデータを選択した場合にはそれに適合した撮影画像のみがユーザによって選択可能に表示され、ユーザが撮影画像を選択した場合にはそれに適合したテンプレートデータのみがユーザによって選択可能に表示されるようにしたが、必ずしもユーザによって選択可能とする撮影画像、又は、テンプレートデータを制限する必要はなく、適合した撮影画像、又は、テンプレートデータを優先順位の高い位置に表示させるようにし、適合しなかった撮影画像、又は、テンプレートデータを優先順位の低い位置に選択可能に表示させるようにしてもよい。例えば、図２の画像選択画面において、撮影画像エリア５０やテンプレートエリア５４では絞り込みを行った際に左端の画像が表示される状態に設定されるものとすると、適合した撮影画像や適合したテンプレートデータを左端から順に配置し、それ以降の右側の位置に適合しなかった撮影画像やテンプレートデータを配置するようにしてもよい。即ち、適合した撮影画像やテンプレートデータの表示の優先順位を上げるようにしてもよい。まあ、適合したものと適合しなかったものとでフレームの色を分けるなど、それらを識別可能に表示するようにしてもよい。
【００５６】
また、撮影画像にＧＰＳ位置情報と距離情報Ｄのうち少なくとも一方が付加されていない場合において、その撮影画像がユーザによって選択され、所定のテンプレートデータと合成された場合には、撮影画像に付加されていない情報について、合成されたテンプレートデータに付加されているＧＰＳ位置情報、距離情報Ｄの値を自動的に付加するようにしてもよい。これによって、次回からのフレームサービスの画像選択において有効にその情報が利用されるようなる。また、このようにしてテンプレートデータの情報を付加した撮影画像に対して、日付が同じ撮影画像や、画像を解析して類似していると判断された撮影画像についても、位置情報と距離情報Ｄのうち付加されていない情報があれば、テンプレートデータと同じ情報を自動的に付加するようにしてもよい。
【００５７】
また、上記実施の形態において、図２の画像選択画面を最初に表示する際に（ユーザが撮影画像とテンプレートデータのいずれも選択していない状態）、撮影画像のＧＰＳ位置情報を読み込み、図５で説明した方法と同様の方法により各撮影画像に適合するテンプレートデータを選出した場合に、多く（所定割合以上、所定枚以上等）の撮影画像に対して共通のテンプレートデータが適合する場合には、そのテンプレートデータの表示の優先順位を上げるようにしてもよい。また、このような最初の画像選択画面の表示において（又は、任意の段階の表示において）、ユーザが、選択しようとしている撮影画像（又はテンプレートデータ）の位置（又は位置範囲）を指定することによって、それに適合する撮影画像及びテンプレートデータに絞り込みを行うようにし、適合する撮影画像及びテンプレートデータのみを選択可能に表示、又は、優先順位を上げて表示するようにしてもよい。また、店頭機の場合にはそれが設置される位置が特定されているため、その設置位置に適合する撮影画像及びテンプレートデータのみを選択可能に表示、又は、優先順位を上げて表示するようにしてもよい。尚、このような処理を撮影画像とテンプレートデータのいずれか一方に関してのみ行うようにしてもよい。
【００５８】
また、上記実施の形態において、ユーザがテンプレートデータを選択した場合に、それに適合する撮影画像を一括して選択されたものとしてもよい。プリント注文を行う店頭機においては、このようにして一括して選択された撮影画像がプリント注文されたものとするようにしてもよい。
【図面の簡単な説明】
【００５９】
【図１】本発明が適用される画像編集装置の一実施の形態を示す構成図。
【図２】画像選択画面の構成図。
【図３】ユーザがテンプレートデータを選択した場合の撮影画像の絞り込みについての説明に使用した説明図。
【図４】ユーザがテンプレートデータを選択した場合の撮影画像の絞り込みについての説明に使用した説明図。
【図５】ユーザが撮影画像を選択した場合のテンプレートデータの絞り込みについての説明に使用した説明図。
【図６】ユーザが撮影画像を選択した場合のテンプレートデータの絞り込みについての説明に使用した説明図。
【図７】テンプレートデータに付加する距離情報を変更可能にした場合についての説明に使用した説明図。
【符号の説明】
【００６０】
１０…ＣＰＵ、１２…システムメモリ、１４…入力装置、１８…モニタ、２８…プリンタ、５０…撮影画像エリア、５４…テンプレートエリア、５８…プレビューエリア
【図１】
2009246822.tif 000003
【図２】
2009246822.tif 000004
【図３】
2009246822.tif 000005
【図４】
2009246822.tif 000006
【図５】
2009246822.tif 000007
【図６】
2009246822.tif 000008
【図７】
2009246822.tif 000009